(57)【要約】【課題】カラオケ装置が設置された空間の防犯目的に利用される監視装置の作動と停止を自動的に切り換えるようにして、当該空間での防犯のための監視効率を高めるようにする。【解決手段】カラオケ装置における楽曲の予約の有無を動作条件に利用して監視部の作動と停止を制御させた。すなわち、予約曲有無判定手段による予約待ち行列の楽曲の有無の判定結果に基づき、その判定結果が変化した時点から所定時間経過後に、監視部の作動と停止とを切り換えるようにした。【選択図】図１
2009031495.tif 000002
【特許請求の範囲】
【請求項１】
店舗に設置されたカラオケ装置と、当該店舗に設置されて店舗内部の空間を監視可能な監視部とを備えたカラオケセキュリティシステムであって、
予約待ち行列管理手段と、予約曲有無判定手段と、監視部管理手段とを有し、
前記予約待ち行列管理手段は、利用者の指示により選曲された各楽曲を予約待ち行列にて管理するものであり、
前記予約曲有無判定手段は、前記予約待ち行列管理手段にて管理されている楽曲があるか否かを判定するものであり、
前記監視部管理手段は、前記予約曲有無判定手段による予約待ち行列の楽曲の有無の判定結果に基づき、前記判定結果が変化した時点から所定時間経過後に、前記監視部の作動と停止とを切り換える制御を行なうものであることを特徴とするカラオケセキュリティシステム。
【請求項２】
監視部管理手段における監視部の作動と停止とを切り換える上記制御は、下記の処理１と処理２である請求項１に記載のカラオケセキュリティシステム。
処理１：前記予約曲有無判定手段にて、前記予約待ち行列に楽曲が無いと判定結果が変化した場合に、監視部を作動させる。
処理２：前記予約曲有無判定手段にて、前記予約待ち行列に楽曲が有ると判定結果が変化した場合に、監視部を停止させる。
【請求項３】
監視部管理手段における監視部の作動と停止とを切り換える上記制御は、下記の処理１と処理２である請求項１に記載のカラオケセキュリティシステム。
処理１：前記予約曲有無判定手段にて、前記予約待ち行列に楽曲が無いと判定結果が変化した場合に、監視部を停止させる。
処理２：前記予約曲有無判定手段にて、前記予約待ち行列に楽曲が有ると判定結果が変化した場合に、監視部を作動させる。
【発明の詳細な説明】
【技術分野】
【０００１】
本発明は、カラオケ装置が設置された店舗に対し防犯を図ることができるカラオケセキュリティシステムに関するものである。
【背景技術】
【０００２】
従来から、スナックやバーのような接客を行なう店舗での防犯の目的と、カラオケボックスなどの歌唱施設の提供を行なう店舗での防犯の目的とが基本的に異なっていて、対策の実施形態が異なっている。
例えば、スナックやバーのような店舗では、営業終了後にセキュリティ会社に依頼し店舗内を監視して不審者の侵入などを防ぐことを防犯目的としており、一方、複数の客室があるカラオケボックスのような店舗では、受付カウンターなどに複数のモニターを設置し、利用中の各客室の映像を所定時間ごとに切り換えて監視して客間のトラブルなどを未然に防ぐことを防犯の目的としているのが一般的である。
ところで、カラオケボックスにおいては勿論のこと、スナックやバーにおいても広くカラオケ設備が普及して設置されてきていることから、このカラオケ装置をセキュリティシステムに利用する試みが図られている。
このようにカラオケ設備を含むセキュリティシステムについて特許文献１では、店舗に設置されているカラオケ装置本体と、楽曲予約に使われているリモコン装置を用いて、空室時にリモコン装置のカメラからの映像の光の量の時系列変化を分析して不審者の有無を監視し、在室者の存在が検知されたときに防犯連絡先に通知する技術が開示されている。
【特許文献１】特開２００５−２１５２０９号公報
【発明の開示】
【発明が解決しようとする課題】
【０００３】
（カラオケボックス店舗での不具合）
しかしながら、上記発明技術は、リモコン装置のカメラからの映像の光の量を分析して不審者の有無を監視するものであるため、営業中に客室を監視して防犯を図っているカラオケボックスでは採用し難く、営業形態にはそぐわないものとなる。そして、カラオケボックスのように利用者の退室後に室内の掃除などを行なう店舗においてこの発明を利用したした場合、従業員を不審者として検知することも考えられる。
また、カラオケボックスにおいて、従来のモニターによる監視システムを、利用者が利用を終えて退室したときに停止させ、新たな利用者が入室したときに作動させており、客室ごとにその作業を行なうことが非常に煩雑になっている。
この点において、スケジュールに即してタイマーを利用しながら予め設定した時間に自動的に監視システムを作動させたり停止させたりすることも考えられるが、利用者の多くが時間管理が曖昧なフリータイムや時間延長などの料金システムを使用するカラオケボックスでは、自動的に監視システムの作動や停止を行なわせることはできず、客室の利用状況に応じてその客室ごとに従業員がモニターで確認して監視システムの設定を行なっているのが現状であり、さらにはこれらの作業を忘れたりする場合がある。例えば、従業員が客室を確認しているモニターは、各々の客室一台づつ割当てたものではなく、通常は客室より少ないモニターを受付等に設置し、全ての各客室を時間割して映し出しており、本来ならば監視の必要のない客室（空室）も映し出している場合には監視の効率が悪くなる。
【０００４】
（スナック、バー店舗での不具合）
さらに、同様に前記スナックなどの店舗で従来から使用されているセキュリティシステムや上記発明技術を利用した防犯システムの場合でも、営業終了後にこれらのシステムの設定をいちいち設定しなければならず、面倒でありあるいは、従業員がその設定を忘れて帰宅してしまうことがある。そこで、閉店時間に合わせたタイマー機構により防犯システムを自動に作動させることも考えられるが、閉店時間が不規則な当該スナックなどの店舗では、必ずも閉店時間に店が終了するとは限らないため、このような仕組みも採用し難い。
そこで、本発明は、従業員の手間をかけずに自動的にセキュリティシステムを稼動させるカラオケセキュリティシステムを提供することを課題とするものである。
【課題を解決するための手段】
【０００５】
本発明は上記課題を考慮してなされたもので、店舗に設置されたカラオケ装置と、当該店舗に設置されて店舗内部の空間を監視可能な監視部とを備えたカラオケセキュリティシステムであって、予約待ち行列管理手段と、予約曲有無判定手段と、監視部管理手段とを有し、前記予約待ち行列管理手段は、利用者の指示により選曲された各楽曲を予約待ち行列にて管理するものであり、前記予約曲有無判定手段は、前記予約待ち行列管理手段にて管理されている楽曲があるか否かを判定するものであり、前記監視部管理手段は、前記予約曲有無判定手段による予約待ち行列の楽曲の有無の判定結果に基づき、前記判定結果が変化した時点から所定時間経過後に、前記監視部の作動と停止とを切り換える制御を行なうものであることを特徴とするカラオケセキュリティシステムを提供して、上記課題を解消するものである。
【０００６】
そして、本発明において、監視部管理手段における監視部の作動と停止とを切り換える上記制御は、下記の処理１と処理２とすることが良好である。
処理１：前記予約曲有無判定手段にて、前記予約待ち行列に楽曲が無いと判定結果が変化した場合に、監視部を作動させる。
処理２：前記予約曲有無判定手段にて、前記予約待ち行列に楽曲が有ると判定結果が変化した場合に、監視部を停止させる。
【０００７】
また、本発明において、監視部管理手段における監視部の作動と停止とを切り換える上記制御は、下記の処理１と処理２とすることが可能である。
処理１：前記予約曲有無判定手段にて、前記予約待ち行列に楽曲が無いと判定結果が変化した場合に、監視部を停止させる。
処理２：前記予約曲有無判定手段にて、前記予約待ち行列に楽曲が有ると判定結果が変化した場合に、監視部を作動させる。
【発明の効果】
【０００８】
（請求項１の発明の効果）
カラオケ装置に対して利用者からの楽曲の予約が行なわれなくなったことを、カラオケ装置の利用を終了したことと仮想し、利用者がカラオケ装置が設置された空間から出てその空間が空室の状態になるとが判断できる。また一方、楽曲の予約が行なわれたことはカラオケ装置の使用が終了されたと仮想でき、カラオケ装置が設置された空間に利用者が居る状態であると判断できるものである。
そこで、請求項１の発明によれば、予約曲有無判定手段による予約待ち行列の楽曲の有無に基づいて所定時間後に監視部を作動させたり停止させたりするので、カラオケ装置が設置された空間の利用状況に応じて自動的に監視部の作動状態と停止状態とが変わることとなり、監視部の作動や停止の設定に係る作業を省力化し、設定忘れを防止することができる。
【０００９】
（請求項２の発明の効果）
カラオケ装置が設定される店舗の内、スナックやバーのような接客営業を行なって深夜の営業終了後に店舗内には従業員がいなくなる店舗においては上述したように、営業終了したときに従来の防犯システムを作業員が作動させるようにしていた。
そこで、請求項２の発明によれば、予約待ち行列に楽曲が無い場合に監視部が作動する状態に移行するようになり、予約待ち行列に楽曲が有る場合に監視部が停止する状態に移行するので、従業員が帰宅する時に監視部を作動させる設定を忘れても自動的に監視部が作動して設定に係る作業を省力化し、また、営業中に作業員の不注意により誤って設定するという間違いを確実に防止できる。しかも、タイマー機構を要さず、閉店時間が不規則なスナックやバーなどの店舗でも適したカラオケセキュリティシステムとなる。
【００１０】
（請求項３の発明の効果）
カラオケボックスのような歌唱施設の提供を行なう店舗では、上述したようにカラオケ装置が設置された客室に入室者（利用客）が居る時に監視カメラにより客室内を撮影して監視用モニターにて常時監視を行ない、客室が空室になった時には監視を行なわないようにしている。
そこで、請求項３の発明によれば、予約待ち行列に楽曲が無い場合に監視部が停止する状態に移行するようになり、予約待ち行列に楽曲が有る場合に監視部が作動する状態に移行するので、カラオケボックスなどのように店舗を常時監督管理する従業員がいる店舗において、歌唱施設利用時の利用者間のトラブルやカラオケ装置自体のトラブルに迅速に対応でき、また、利用客が退室してからは自動的に監視をしない状態に移行するので、監視部に対する設定をし忘れるという不注意を未然に防止することができる。またさらに、空室になったと判断された客室については自動的に監視部を停止するため、監視対象（監視部作動客室）が減少した分、監視効率が上がる。すなわち、監視すべき客室の１回当たりのモニタでの映し出し時間を長くしたり、所定時間当たりの映し出し回数を増加させたりできるものである。よって、カラオケボックスなどの店舗に適したカラオケセキュリティシステムとなる。
【発明を実施するための最良の形態】
【００１１】
つぎに本発明を図１から図３に示す実施の形態に基づいて詳細に説明する。
（カラオケ店舗の場合）
図中１はカラオケセキュリティシステムで、図１と図２にはカラオケ装置を設置している客室が多数連設されてなり、それぞれの客室を監視するためのセキュリティシステムを有したカラオケボックスとしたカラオケ店舗に実施した例を示している。
このカラオケセキュリティシステム１は図１に示すように、カラオケ店舗Ａでのカラオケ利用者に楽曲演奏などのサービスを提供するカラオケシステム２と、カラオケ店舗Ａでカラオケ利用者に用意された各居室Ｂそれぞれの内空間を監視することが可能な監視部３と、制御部４とを備えてなるものである。
【００１２】
（カラオケシステム）
実施の形態を採用する一例として示したカラオケ店舗Ａでは、図示のように複数の前記客室Ｂがあり、その客室Ｂそれぞれが後述のカラオケ装置を設置した空間である。そして、本カラオケセキュリティシステム１でのカラオケシステム２は、カラオケ店舗Ａ内の管理室やこのカラオケ店舗Ａ以外のデータセンターなどの外部施設に設置されるローカルサーバ５と、カラオケ店舗Ａの各客室Ｂそれぞれに設置されたカラオケ装置６とからなるもので、各カラオケ装置６それぞれがローカルサーバ５と相互通信可能に接続されていて、ローカルサーバ５側から定期的に、或いは不定期に新譜の楽曲データなどが各カラオケ装置６に一斉送信され、一方、各カラオケ装置６側からは稼動記録などのデータがローカルサーバ５側に送信される。
【００１３】
各客室Ｂに設置された上記カラオケ装置６は、カラオケ装置本体７とこのカラオケ装置本体７に有線、或いは無線に相互通信する操作端末の電子目次本８と、同じくカラオケ装置本体７に有線、或いは無線にて歌唱音声を送信するマイクロホン９と、カラオケ装置本体７に接続された映像出力装置１０及び音響出力装置１１とからなるものである。
そして、このカラオケ装置５は、客室Ｂでのカラオケ利用者が電子目次本８で所望の楽曲を指定することによって、その電子目次本８から楽曲を特定するためのコードが出力され、カラオケ装置本体７に楽曲の予約として受け付けられ、カラオケ装置本体７では、その受付前にカラオケ利用者からの楽曲の予約がなければ、受け付けられた楽曲の演奏データを音響出力装置１１で出力（演奏）し、また、楽曲の予約があれば先に予約された楽曲の演奏データから順に音響出力装置１１で出力し、映像出力装置１０からは、演奏される楽曲に対して事前に選定された映像を出力し、マイクロホン９に入力したカラオケ利用者の音声も前記音響出力装置１１より出力する。
【００１４】
上記カラオケ装置６では上述したように電子目次本８からの楽曲の予約をうけ付けて、先に予約された楽曲から順に演奏するようにしているが、楽曲の予約の順序を管理するための予約待ち行列管理手段１２を上記カラオケ装置本体７に備えている。この予約待ち行列管理手段１２では、予約順位とカラオケ利用者名と楽曲のコードとの組み合わせを予約順にして記憶しており、例えば、
予約順位：１、カラオケ利用者名：ａａ、楽曲コード：１１、
予約順位：２、カラオケ利用者名：ｂｂ、楽曲コード：２２、
などとした予約待ち行列を構成し、予約順位一位の楽曲コードに対応する楽曲が演奏される毎に、その予約順位が一位のカラオケ利用者名、楽曲コードを消去し、下位のカラオケ利用者名、楽曲コードに対する予約順位を繰り上げるようにしてこの予約待ち行列を管理するものである。
【００１５】
そして、本発明では、カラオケシステム２の各カラオケ装置５それぞれに予約曲有無判定手段１３を有していて、本実施の形態では上記カラオケ装置本体７にこの予約曲有無判定手段１３が設けられている。前記予約曲有無判定手段１３は、上記予約待ち行列管理手段１２の予約待ち行列によって順位が管理されている楽曲があるかどうかを常時或いは、楽曲演奏終了時に判定するものであり、判定の結果を上記制御部４に出力している。
また、前記予約曲有無判定手段１３にあってはタイマー手段１４を有していて、予約待ち行列に管理されている楽曲の有無が予約曲有無判定手段１３にて判定され、予約待ちの楽曲の有無の判定結果が変化した時点（予約待ちの楽曲が「有る」の判定結果が予約待ちの楽曲が「無い」の判定結果に変化した時、また、予約待ちの楽曲が無いの判定結果が予約待ちの楽曲が有るの判定結果に変化した時）から所定時間の経過が前記タイマー手段１４で計測された時に、上記制御部４に、所定時間の経過があったことの通知と、その所定時間の経過があったときの最終の判定結果の通知とを行なうように設けられている。なお、タイマー手段を設ける利用としてカラオケ装置を利用してる利用者が終了後、速やかに退出するとは限らないため、ある一定の時間を置いている。
【００１６】
（監視部）
本発明での上記監視部３は、各客室Ｂに設置されてその室内の状況を映像として監視カメラ１５とこの監視カメラ１５で撮影した映像を出力するモニタ装置１６とからなるものである。前記モニタ装置１６にあっては上記制御部４と接続されており、この制御部４の制御の下で、各監視カメラ１５の撮影動作のオン、オフと、各監視カメラ１６が撮影した映像の出力動作のオン、オフが行なえるように設けられている。そして、このカラオケ店舗Ａに実施したカラオケセキュリティシステム１での客室それぞれに対する監視部３の作動の状態は、客室Ｂそれぞれにおいて監視カメラ１５の撮影とその映像をモニタ装置１６で出力する状態とされ、逆に客室それぞれに対する監視部３の停止の状態は、客室それぞれにおいて監視カメラ１５の撮影停止およびその監視カメラ１５からの撮影映像の出力をモニタ装置１６上で停止する状態としている。
【００１７】
（監視部の作動−在室者有）
そして、本発明での制御部４においては監視部管理手段１７を備えていて、この監視部管理手段１７の下で上記監視部３を制御する。この監視部管理手段１７では、制御部４が、上記カラオケシステム２の何れかのカラオケ装置６から、予約待ち行列に管理される楽曲が有るという判定がなされたデータと、予約待ちの楽曲が無いとの判定から予約待ちの楽曲が有るとの判定に判定結果が変化してから所定時間の経過の計測がなされたことのデータとを受けると、それらのデータを送出したカラオケ装置６が設置されている客室Ｂにある監視カメラ１５の撮影動作をオンにし、この撮影動作がオンとされた防犯用カメラ１５が撮影した映像をモニタ装置１６で出力するように処理を行なう。即ち、客室Ｂに対して監視部３を作動させるものである。
なお、モニタ装置１６は、各客室からの撮影映像を短時間ごとに切り換え出力するものであり、カラオケ店舗Ａの係員が切り換え出力される映像を目視にて確認して監視部３が作動している客室のみ状況を監視できるようにしている。
【００１８】
上記制御部４に対して、カラオケシステム２のカラオケ装置６から予約曲が有ると判定されたデータが継続的に送出されている場合や、カラオケ装置６から予約曲が無いと判定結果がデータとして送出され、かつ予約曲が有るの判定から予約曲が無いの判定に判定結果に変化してからの時間経過が、所定時間の経過として計測されていない場合には、監視部管理手段１７は、それらの条件に合致するカラオケ装置６が設置されている客室Ｂに対しては上記監視部３での監視動作、即ち、監視カメラ１５による撮影とモニタ装置１６による映像出力を継続するように設けられている。
【００１９】
（監視部の停止−在室者無）
カラオケ店舗Ａでは空室の客室に対しては監視を行なわないものであり、この実施の例では、空室の客室に対して監視部による監視が停止するように設けられている。
上記監視部管理手段１７では、制御部４が、上記カラオケシステム２の何れかのカラオケ装置６から、予約待ち行列に管理される楽曲が無いという判定がなされたデータと、予約待ちの楽曲が有るとの判定から予約待ちの楽曲が無いとの判定に判定結果が変化してから所定時間の経過の計測がなされたことのデータとを受けると、それらのデータを送出したカラオケ装置６がある客室Ｂの監視カメラ１５の撮影動作をオフにし、この撮影動作がオフとされた監視カメラ１５に対する映像出力の動作をモニタ装置１６での出力をオフする処理を行なう。これによって、客室Ｂに対して監視部３は停止するものとなり、監視する作業員は特に監視部３の停止作業を行なう必要はない。
【００２０】
なお、制御部４に対して、カラオケシステム２のカラオケ装置６から予約曲が無いと判定されたデータが継続的に送出されている場合は監視部３の停止が継続するが、新たな利用者が入室して、カラオケ装置６が予約曲の受け付けをし、予約待ち行列管理手段７で予約曲が管理され、予約曲有無判定手段１３で予約曲が有ると判定されれば、上述したように所定時間経過後に監視部管理手段１７が監視部３の停止を作動に切り換える。これによって、利用が再開された客室の監視が行なえるものとなる。
【００２１】
（スナック店舗の場合）
図３は接客営業を行なうスナック店舗Ｃに本発明を実施した例を示している。この実施の例において、カラオケセキュリティシステム１は、スナック店舗Ｃでのカラオケ利用者に楽曲演奏などのサービスを提供するカラオケシステム２と、スナック店舗Ｃの店内Ｄである空間を監視することが可能な監視部１８と、制御部４とを備えてなるものである。
【００２２】
（カラオケシステム）
このカラオケセキュリティシステム１でのカラオケシステム２は、上記カラオケ店舗Ａの場合と異なって店内Ｄに例えば一台のカラオケ装置６を設置して構成されているもので、そのカラオケ装置６が図示しない店舗外の管理せんたーに設置された管理サーバと相互通信可能に接続され、管理サーバ側から定期的に、或いは不定期に新譜の楽曲データなどが各カラオケ装置６に送信され、一方、各カラオケ装置６側からは稼動記録などのデータが管理サーバ側に送信される。
【００２３】
店内Ｄに設置されたカラオケ装置６単体としての構成は上記実施の例と同じであることから、この実施の例でのカラオケ装置６の説明を図２に基づいて説明する。このカラオケ装置６は、上記実施の例と同じようにカラオケ装置本体７と操作端末の電子目次本８とマイクロホン９と映像出力装置１０及び音響出力装置１１とからなるものである。そして、歌唱に供する点での利用形態も上記実施の例と同じであることから、その歌唱での利用形態については説明を省略する。
さらにこのカラオケ装置６で上記予約待ち行列管理手段１２の管理の動作も上記実施の例での説明と同じであり、その説明を省略する。
【００２４】
スナック店舗Ｃで実施した例のカラオケセキュリティシステム１では、カラオケシステム２のカラオケ装置５に予約曲有無判定手段１３を有していて、上記カラオケ装置本体７にこの予約曲有無判定手段１３が設けられている。予約曲有無判定手段１３は、上記予約待ち行列管理手段１２の予約待ち行列によって順位が管理されている楽曲があるかどうかを常時判定するものであり、判定の結果を上記制御部４に出力している。
上記予約曲有無判定手段１３は上記実施例と同様にタイマー手段１４を有していて、予約待ち行列に管理されている楽曲の有無が予約曲有無判定手段１３にて判定され、予約待ちの楽曲の有無の判定結果が変化した時点（予約待ちの楽曲が「有る」の判定結果が予約待ちの楽曲が「無い」の判定結果に変化した時、また、予約待ちの楽曲が「無い」の判定結果が予約待ちの楽曲が「有る」の判定結果に変化した時）から所定時間の経過がタイマー手段１４で計測された時に、上記制御部４に、所定時間の経過があったことの通知と、その所定時間の経過があったときの最終の判定結果の通知とを行なうように設けられていると共に、利用者が楽曲予約に戸惑っているときに通知するように設けられている。
【００２５】
（監視部）
上記監視部１８は、店内Ｄに設置されて店内での人の侵入を熱や音等にて感知する防犯センサー２１この防犯装置２１で人の侵入を感知した場合に、セキュリティ会社に報知する報知手段１９とからなるものである。前記報知手段１９にあっては上記制御部４と接続されており、この制御部４の制御の下で、防犯センサー２１の感知動作のオン、オフと、監視カメラ２１が人の侵入を感知した場合、これを報知手段１９に通知するように設定されている。そして、このスナック店舗Ｃに実施したカラオケセキュリティシステム１での店内Ｄに対する監視部３の作動の状態は、店内Ｄにおいて防犯センサー２１の感知動作と、感知した場合に報知手段１９に通知可能とする状態とされ、逆に店内Ｄに対する監視部３の停止の状態は、前記防犯センサー２１の感知停止報知手段１９への通信を停止する状態としている。
【００２６】
そして、この実施の例の上記制御部４においては監視部管理手段２０を備えていて、この監視部管理手段２０の下で上記監視部３を制御する。この監視部管理手段２０では、制御部４が、カラオケシステム２のカラオケ装置６から、予約待ち行列に管理される楽曲が無いという判定がなされたデータと、予約待ちの楽曲が有るとの判定から予約待ちの楽曲が無いとの判定に判定結果が変化してから所定時間の経過の計測がなされたことのデータとを受けると、防犯装置２１の感知動作をオンし、防犯センサーが人の侵入を感知した場合、報知手段１９が報知動作をするように処理を行う。
【００２７】
上記制御部４に対して、カラオケシステム２のカラオケ装置６から予約曲が無いと判定されたデータが継続的に送出されている場合や、カラオケ装置６から予約曲が無いと判定結果がデータとして送出され、かつ予約曲が有るの判定から予約曲が無いの判定に判定結果に変化してからの時間経過が、所定時間の経過として計測されていない場合には、監視部管理手段２０は、上記監視部１８の作動の状態、即ち、防犯センサー２１による感知と報知手段１９の報知機能を継続するように設けられている。なお、スナック店舗Ｃでの実施の例において、営業終了中での店内Ｄの無人状態から営業を行なう状態に移行するときにその店内Ｄの監視の停止を行なうように設けられている。店舗によってはカラオケ装置を長時間使用しない場合もあり、営業中に監視部が作動してしまう危険性がないとは言えないが、現状、店舗の管理者や従業員が初めに入店する際、監視部を停止させるのが普通であり、あるいは監視部の停止が入店の条件となっているため、通常、営業中に監視部が作動するようなことは起こらない。また、開店時間は閉店時間と異なり、毎日、変動がなく、タイマー機構で監視部を停止する構成も普及しているため、このような可能性は殆どないと言える。
【００２８】
（監視部の作動−在室者有）
そして、制御部４に対して、カラオケシステム２のカラオケ装置６から予約曲が有ると判定されたデータが継続的に送出されている場合は監視部３の停止が継続するが、店内Ｄで営業終了の片付けなどをしている場合のように、カラオケ装置６に予約曲の受け付けが行なわれず、予約曲有無判定手段１３で予約曲が無いと判定されれば、上述したように所定時間経過後（例えば、１時間）に監視部管理手段２０が監視部１８の停止を作動に切り換える。これによって、店内Ｄで営業終了後に片付けなどを行っている場合などは監視部１８は作動されずに、片付けなどが終了後に店内の監視が行われることになる。
【００２９】
上記実施の例において監視部１８を、防犯センサーと報知手段との構成として説明したが、上記制御部４の制御の下で店内での監視動作のオンオフが可能である防犯カメラと、その監視機器による監視データが記録できる装置との組み合わせであればよい。
【図面の簡単な説明】
【００３０】
【図１】本発明に係るカラオケセキュリティシステムの一例を示す説明図である。
【図２】一例のカラオケシステムにおける一組のカラオケ装置を概略的に示す説明図である。
【図３】他の実施の例を示す説明図である。
【符号の説明】
【００３１】
１…カラオケセキュリティシステム
２…カラオケシステム
３…監視部
４…制御部
６…カラオケ装置
７…カラオケ装置本体
８…電子目次本
１２…予約待ち行列管理手段
１３…予約曲有無判定手段
１４…タイマー手段
１５…監視カメラ
１６…モニタ装置
１７…監視部管理手段
１８…監視部
１９…報知手段
２０…監視部管理手段
２１…防犯センサー
Ａ…カラオケ店舗
Ｂ…客室
Ｃ…スナック店舗
Ｄ…店内
【図１】
2009031495.tif 000003
【図２】
2009031495.tif 000004
【図３】
2009031495.tif 000005